(57)【要約】【課題】ケーブル等の被結束物の結束と開放が容易であり、被結束物を結束した状態にて容易に壁面等に取り付けることが可能であり、壁面等に取り付けた後において被結束物の位置が少しずれた場合であってもずれに対してある程度の追随が可能な磁石付きベルトを提供する。【解決手段】少なくとも両端部に面ファスナーを有して任意の形状に湾曲させることが可能なベルト１１と、ベルト１１における任意の位置に取り付けられた磁石１２と、を備え、磁石１２は、ベルト１１の任意の位置においてベルトの表面から裏面に貫通する貫通孔１１Ｃに挿通された軸体（１３Ｃ）をかしめ加工することでベルト１１に取り付けられており、ベルト１１は、取り付けられている磁石１２に対して、貫通孔１１Ｃを中心として旋回可能となるように磁石１２に取り付けられている。【選択図】図７
2013238294.tif 000002
【特許請求の範囲】
【請求項１】
少なくとも両端部に面ファスナーを有して任意の形状に湾曲させることが可能なベルトと、
前記ベルトにおける任意の位置に取り付けられた磁石と、を備え、
前記磁石は、前記ベルトの任意の位置において当該ベルトの表面から裏面に貫通する貫通孔に挿通された軸体をかしめ加工することで前記ベルトに取り付けられており、
前記ベルトは、取り付けられている前記磁石に対して、前記貫通孔を中心として旋回可能となるように前記磁石に取り付けられている、
磁石付きベルト。
【請求項２】
請求項１に記載の磁石付きベルトであって、
前記ベルトは、前記磁石を挟んで一方端の側が他方端の側よりも幅広となるように形成され、幅広の一方端の側には、幅が狭い他方端の側を挿通可能な、単数または複数の挿通孔が形成されている、
磁石付きベルト。
【発明の詳細な説明】
【技術分野】
【０００１】
本発明は、ベルトの任意の位置に磁石が取り付けられた磁石付きベルトに関する。
【背景技術】
【０００２】
従来、束ねたケーブルを壁面等に固定するケーブル結束具として、特開２０１１−１４２７６７が知られている。
特開２０１１−１４２７６７に記載された従来技術には、鋸状凹凸部が形成されたバンドと、当該バンドの一方端が固定されたヘッドと、を有するケーブル結束具が開示されている。そしてヘッドには、バンドの他方端を挿通可能な孔と、バンドの鋸状凹凸部に係合するラッチと、が形成されており、１本以上のケーブルをバンドにて巻回して孔に挿通したバンドをラッチにて固定可能である。またヘッドには、複数のケーブル結束具を連結することが可能な磁石が設けられている。
【先行技術文献】
【特許文献】
【０００３】
【特許文献１】特開２０１１−１４２７６７号公報
【発明の概要】
【発明が解決しようとする課題】
【０００４】
特許文献１に記載された従来技術では、結束するケーブルをバンドにて巻回した場合、ヘッドの孔に挿通したバンドの先端が、ケーブルと反対の側に突出する。従って、ケーブルを結束したケーブル結束具を、ベルトが水平となる向きで壁等に貼り付けようとした場合、ヘッドから突出したバンドの先端が壁面に干渉して取り付けることができない。またケーブルを結束したケーブル結束具を、ベルトが鉛直となる向きで壁面に貼り付けようとした場合、ヘッドと突出したベルトが露出するので、見栄えがよくない。
また、結束するケーブルの増減を所望する場合、ヘッドの孔からバンドを抜き出す作業に手間がかかる。特許文献１には、ケーブルを増やす場合、ケーブル結束具を増設して連結することが容易であると記載されている。しかし、まだ結束できるケーブルの余裕があるケーブル結束具のバンドを抜き出す手間をかけずにケーブル結束具を増設すれば対処できるが、新たなケーブル結束具が必要であるので、余計なコストがかかる。またケーブルを減らす場合は、バンドを抜き出すしかない。
また、ヘッドに対してベルトが固定されてしまっているので、ケーブル結束具を壁面等に貼り付けた後、結束したケーブルの位置が少しずれただけで、ケーブルのずれがベルトを介してヘッドに伝達され、ヘッドが壁面等から離間し易い、という懸念がある。
本発明は、このような点に鑑みて創案されたものであり、ケーブル等の被結束物の結束と開放が容易であり、被結束物を結束した状態にて容易に壁面等に取り付けることが可能であり、壁面等に取り付けた後において被結束物の位置が少しずれた場合であってもずれに対してある程度の追随が可能な磁石付きベルトを提供することを課題とする。
【課題を解決するための手段】
【０００５】
上記課題を解決するため、本発明に係る磁石付きベルトは次の手段をとる。
まず、本発明の第１の発明は、少なくとも両端部に面ファスナーを有して任意の形状に湾曲させることが可能なベルトと、前記ベルトにおける任意の位置に取り付けられた磁石と、を備え、前記磁石は、前記ベルトの任意の位置において当該ベルトの表面から裏面に貫通する貫通孔に挿通された軸体をかしめ加工することで前記ベルトに取り付けられており、前記ベルトは、取り付けられている前記磁石に対して、前記貫通孔を中心として旋回可能となるように前記磁石に取り付けられている。
【０００６】
この第１の発明によれば、任意の形状に湾曲可能なベルトの少なくとも両端に面ファスナーを備えているので、被結束物の結束と開放が非常に容易である。
また、ベルトには磁石が取り付けてあるので、磁石が付く場所であれば、被結束物を結束した磁石付きベルトを壁面等に容易に吸着させることができる。
更に、磁石に対して、貫通孔を中心としてベルトが旋回可能であるので、壁面等に取り付けた後において被結束物の位置が少しずれた場合であってもずれに対してある程度の追随が可能であり、磁石が壁面等から離間することを抑制することができる。
【０００７】
次に、本発明の第２の発明は、上記第１の発明に係る磁石付きベルトであって、前記ベルトは、前記磁石を挟んで一方端の側が他方端の側よりも幅広となるように形成され、幅広の一方端の側には、幅が狭い他方端の側を挿通可能な、単数または複数の挿通孔が形成されている。
【０００８】
この第２の発明によれば、幅が狭い他方端の側を、幅広の一方端の側の挿通孔に挿通してベルトを８の字状に巻回して２つのグループの被結束物をそれぞれ結束することができる。これにより、２つのグループのそれぞれの被結束物の結束を所望する場合、２つの磁石付きベルトを用いることなく、１つの磁石付きベルトで結束することができるので、非常に便利である。
【図面の簡単な説明】
【０００９】
【図１】第１の実施の形態の磁石付きベルト１０の外観（表側）の斜視図である。
【図２】第１の実施の形態の磁石付きベルト１０の外観（裏側）の斜視図である。
【図３】第１の実施の形態の磁石付きベルト１０の正面図である。
【図４】第１の実施の形態の磁石付きベルト１０の側面図（Ｘ軸方向）である。
【図５】第１の実施の形態の磁石付きベルト１０の背面図である。
【図６】第１の実施の形態の磁石付きベルト１０の側面図（Ｙ軸方向）である。
【図７】（Ａ）は磁石付きベルト１０の構造を説明する図であり、（Ｂ）は磁石に対してベルトが旋回可能であることを説明する図である。
【図８】第２の実施の形態の磁石付きベルト２０の外観（表側）の斜視図である。
【図９】第２の実施の形態の磁石付きベルト２０の外観（裏側）の斜視図である。
【図１０】第２の実施の形態の磁石付きベルト２０の正面図である。
【図１１】第２の実施の形態の磁石付きベルト２０の側面図（Ｘ軸方向）である。
【図１２】第２の実施の形態の磁石付きベルト２０の背面図である。
【図１３】第２の実施の形態の磁石付きベルト２０の側面図（Ｙ軸方向）である。
【図１４】（Ａ）は磁石付きベルト２０の構造を説明する図であり、（Ｂ）は磁石に対してベルトが旋回可能であることを説明する図である。
【図１５】磁石付きベルト１０の使用例を説明する図である。
【図１６】（Ａ）は第３の実施の形態の磁石付きベルト３０の外観を説明する斜視図であり、（Ｂ）及び（Ｃ）は磁石付きベルト３０の使用例を説明する図である。
【発明を実施するための形態】
【００１０】
以下に本発明を実施するための形態を図面を用いて説明する。
●［第１の実施の形態における磁石付きベルト１０の構造（図１〜図７）］
図１〜図７を用いて、第１の実施の形態の磁石付きベルト１０の外観及び構造について説明する。
磁石付きベルト１０は、磁石１２と、ヨーク１３と、ベルト１１にて構成されている。
磁石１２は、フェライト焼結磁石等の永久磁石であり、第１の実施の形態では、円柱状の磁石である。
ヨーク１３は、磁石が持つ吸着力を増幅するための軟鉄等で形成されており、図７（Ａ）に示すように、磁石１２を収容する凹部と、略円柱状の突出部１３Ｃが形成されている。
ベルト１１は、布や樹脂等にて帯状に形成されて任意の形状に湾曲させることが可能であり、少なくとも両端部に面ファスナーが設けられている。この面ファスナーにて、ベルト１１の一方端と他方端を重ね合わせて容易に結合させることが可能であるとともに、結合状態を容易に開放することが可能である。
また、ベルト１１における任意の位置には、表面１１Ａから裏面１１Ｂに貫通する貫通孔１１Ｃが形成されている。
ベルト１１の表面１１Ａと裏面１１Ｂは、一方が面ファスナーの一方（結合する面）であり、他方が面ファスナーの他方（結合される面）である。本実施の形態では、表面１１Ａの全体を面ファスナーの結合される面に設定し、裏面１１Ｂの全体を面ファスナーの結合する面に設定した。
【００１１】
また図７（Ａ）に示すように、ベルト１１の貫通孔１１Ｃにヨーク１３の円柱状の突出部１３Ｃが挿通されて、突出部１３Ｃの先端がかしめ加工されて、貫通孔１１Ｃの径よりも大きな径のかしめ部１３Ａが形成されている。また磁石１２は、圧入または接着にて、ヨーク１３の凹部に取り付けられている。
このように、ベルト１１の貫通孔１１Ｃに挿通された軸体（この場合、突出部１３Ｃ）をかしめ加工することで、ベルト１１に磁石１２及びヨーク１３が取り付けられている。
従って図７（Ｂ）に示すように、ベルト１１は、貫通孔１１Ｃ（突出部１３Ｃ）を中心として、突出部１３Ｃの軸に直交する平面内において、磁石１２（ヨーク１３）に対してＲ１方向及びＲ２方向に旋回可能である。
【００１２】
●［第２の実施の形態における磁石付きベルト２０の構造（図８〜図１４）］
次に図８〜図１４を用いて、第２の実施の形態の磁石付きベルト２０の外観及び構造について説明する。
第２の実施の形態の磁石付きベルト２０は、第１の実施の形態の磁石付きベルト１０に対して、磁石２２及びヨーク２３の形状が矩形である点と、ハトメ２４にてベルト２１に磁石２２とヨーク２３が取り付けられている点と、磁石２２の位置がベルト２１の長手方向における中央位置よりも一方端の側にずれている点が異なる。磁石２２を挟んで一方の側のベルトを他方の側のベルトよりも長くすることで、対象物にベルトを巻回する際の作業性をより向上させることができる。
以下、第１の実施の形態との相違点について主に説明する。
【００１３】
磁石付きベルト２０は、図１４（Ａ）、（Ｂ）に示すように、磁石２２と、ヨーク２３と、ベルト２１と、ハトメ２４と、座金２５にて構成されている。
磁石２２とヨーク２３の形状は矩形であり、第１の実施の形態に対して、製造がより容易である。
また図１４（Ａ）に示すように、磁石２２とヨーク２３とベルト２１のそれぞれには、ハトメ２４を挿通する貫通孔２２Ｃ、２３Ｃ、２１Ｃが形成されている。そして磁石２２における吸着面には、ハトメ２４の頭部を収容する凹部２２Ａ（図８参照）が形成されている。
ハトメ２４は、図１４（Ａ）に示すように、磁石２２の貫通孔２２Ｃと、ヨーク２３の貫通孔２３Ｃと、ベルト２１の貫通孔２１Ｃと、座金２５の孔に挿通され、先端がかしめ加工される。
このように、ベルト２１の貫通孔２１Ｃに挿通された軸体（この場合、ハトメ２４）をかしめ加工することで、ベルト２１に磁石２２及びヨーク２３が取り付けられている。
従って図１４（Ｂ）に示すように、ベルト２１は、貫通孔２１Ｃ（ハトメ２４）を中心として、ハトメ２４の軸に直交する平面内において、磁石２２（ヨーク２３）に対してＲ１方向及びＲ２方向に旋回可能である。
【００１４】
●［磁石付きベルトの使用例（図１５）］
次に図１５を用いて、磁石付きベルト１０を例とした使用例について説明する。もちろん、磁石付きベルト２０及び後述する磁石付きベルト３０を用いても、同様に使用することができる。
本物品である磁石付きベルト１０は、屋内及び屋外にて使用する物品であり、複数のケーブルや長尺物等を束ねる目的（図１５（Ａ）参照）、単数または束ねたケーブルや長尺物等を磁石が吸着可能な壁面等に保持する目的（図１５（Ａ）、（Ｄ）参照）、ボール状の球体や箱体等を磁石が吸着可能な壁面等に保持する目的（図１５（Ｂ）、（Ｃ）参照）等、種々の対象物（被結束物）を束ねる目的、種々の対象物を磁石が吸着可能な物体に保持する目的、にて使用するものである。
また使用方法は、対象物を巻回するようにベルト１１を湾曲させてベルト１１の両端の面ファスナーを連結させて磁石付きベルト１０にて対象物を束ねるあるいは保持し、そして、磁石付きベルト１０の磁石１２を、磁石１２が吸着可能な物体に吸着させる、という方法である。
【００１５】
図１５（Ａ）に示す使用例は、磁石付きベルト１０にて複数のＬＡＮケーブル６０を束ね、磁石付きベルト１０の磁石１２を、磁石が吸着可能な机の側面Ｋ等に吸着させた例を示している。ベルト１１が面ファスナーであるので結合と開放が容易であり、ＬＡＮケーブル６０の本数が増減しても、容易に束ね直すことができる。このように単数または複数のケーブルを、所望する位置に容易に保持することができる。
図１５（Ｂ）に示す使用例は、２つの磁石付きベルト１０にて球体７０を保持し、磁石が吸着可能な物体に磁石１２を吸着させた例を示している。
図１５（Ｃ）に示す使用例は、２つの磁石付きベルト１０にて箱体８０（直方体）を保持し、磁石が吸着可能な物体に磁石１２を吸着させた例を示している。
このように、球体７０や箱体８０を、磁石が吸着可能な任意の物体に保持することも可能である。
図１５（Ｄ）に示す使用例は、磁石付きベルト１０にて屋外に設置する「のぼり」のポール９１を、磁石が吸着可能な壁面に保持させた例を示している。このように、単数または複数の長尺物を、所望する位置に容易に保持することができる。また、「のぼり」が揺れて「のぼり」の位置が少しずれた場合であっても、磁石１２に対してベルトが旋回可能であるので、少しくらいのずれであれば、ずれに追随するようにベルトが旋回し、磁石が吸着面から離間することを抑制することができる。
【００１６】
●［第３の実施の形態における磁石付きベルト３０の構造と使用例（図１６）］
次に図１６を用いて、第３の実施の形態の磁石付きベルト３０の構造と使用例について説明する。
第３の実施の形態の磁石付きベルト３０は、第１及び第２の実施の形態の磁石付きベルト１０、２０に対して、磁石３２を挟んで、ベルト３１の一方端の側（図１６（Ａ）の例では右側）が、ベルト３１の他方端の側（図１６（Ａ）の例では左側）よりも幅広となるように形成されている点と、幅広の一方端の側には、幅が狭い他方端（３１Ｃ）の側を挿通可能な、単数または複数の挿通孔３１Ｄ（図１６（Ａ）の例では挿通孔３１Ｄ、３１Ｅ）が形成されている点が異なる。
【００１７】
上記の相違点により、磁石付きベルト３０は、図１６（Ｂ）及び（Ｃ）に示すように、ベルト３１の他方端３１Ｃを挿通孔３１Ｄ（３１Ｅ）に挿通させることで、ベルト３１を８の字状に湾曲させて、被結束物（対象物）を結束（収容）可能な２個所の巻回部３７Ａ、３７Ｂを形成することができる。
これにより、図１６（Ｂ）に示すように、２つのグループの被結束物（図１６（Ｂ）の例ではケーブル群６０とケーブル群６１）をそれぞれのグループで結束及び保持することを所望する場合、２つの磁石付きベルトを用いることなく、１つの磁石付きベルトで結束及び保持することができる。
【００１８】
本発明の磁石付きベルト１０、２０、３０は、本実施の形態で説明した外観、構成、構造、形状、使用例等に限定されず、本発明の要旨を変更しない範囲で種々の変更、追加、削除が可能である。
また、磁石１２、２２、３２には、種々の磁石を用いることができる。
また、ヨーク１３、２３、３３は省略しても良い。なおヨーク１３、３３を省略した場合は、磁石１２、３３に略円柱状の突出部を設けるか、別体の突出部（軸体）に磁石を取り付ければよい。
なお本実施の形態の説明では、磁石付きベルト３０において、ベルトを８の字状に湾曲させて２個所の巻回部を形成する例を説明したが、磁石付きベルト１０及び２０においてもベルトを８の字状に湾曲させて２個所の巻回部を形成してもよい。
【符号の説明】
【００１９】
１０、２０、３０    磁石付きベルト
１１、２１、３１    ベルト
１１Ｃ、２１Ｃ、２２Ｃ、２３Ｃ    貫通孔
１２、２２、３２    磁石
１３Ａ    かしめ部
１３Ｃ    突出部
１３、２３、３３    ヨーク
２２Ａ    凹部
２４      ハトメ
２５      座金
３１Ｄ、３１Ｅ    挿通孔
【図１】
2013238294.tif 000003
【図２】
2013238294.tif 000004
【図３】
2013238294.tif 000005
【図４】
2013238294.tif 000006
【図５】
2013238294.tif 000007
【図６】
2013238294.tif 000008
【図７】
2013238294.tif 000009
【図８】
2013238294.tif 000010
【図９】
2013238294.tif 000011
【図１０】
2013238294.tif 000012
【図１１】
2013238294.tif 000013
【図１２】
2013238294.tif 000014
【図１３】
2013238294.tif 000015
【図１４】
2013238294.tif 000016
【図１５】
2013238294.tif 000017
【図１６】
2013238294.tif 000018